(57)【要約】【課題】電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い電線端末処理構造を提供すること。【解決手段】電線２０の切り放し端２１を保持する樹脂製の端末保持部材３０を、モールド成形により前記切り放し端２１に一体形成した電線端末処理構造であって、端末保持部材３０が、一端面３１ａに切り放し端２１の端部２１ａを突出させて保持する保持部本体３１と、切り放し端２１の端部２１ａを挟んで対向するように保持部本体３１の一端面３１ａに突設されると共に、一端面３１ａからの突出長が切り放し端２１の端部２１ａの突出長よりも大きく設定された一対の端部保護壁３２と、を備える。【選択図】図１
2016018718.tif 000002
【特許請求の範囲】
【請求項１】
電線の切り放し端を保持する樹脂製の端末保持部材を、モールド成形により前記切り放し端に一体形成した電線端末処理構造であって、
前記端末保持部材が、
一端面に前記切り放し端の端部を突出させて保持する保持部本体と、
前記切り放し端の端部を挟んで対向するように前記保持部本体の一端面に突設されると共に、前記一端面からの突出長が前記切り放し端の端部の突出長よりも大きく設定された一対の端部保護壁と、
を備えたことを特徴とする電線端末処理構造。
【請求項２】
前記一対の端部保護壁は、前記切り放し端の端部が折曲しても、該切り放し端の端部が前記一対の端部保護壁間の空間から飛び出さないように、大きさを設定されたことを特徴とする請求項１に記載の電線端末処理構造。
【発明の詳細な説明】
【技術分野】
【０００１】
本発明は、電線の切り放し端の絶縁と、前記切り放し端の接触による周囲の機材等の汚損防止とを実現する電線端末処理構造に関する。
【背景技術】
【０００２】
電線の切り放し端の絶縁と、前記切り放し端の接触による周囲の機材等の汚損防止とを実現する電線端末処理構造として、従来より、電線の切り放し端をテープ巻きで覆う構造が知られている。また、下記特許文献１には、上記電線端末処理構造として、電線の切り放し端に、専用の筒状のゴム栓を被嵌装着する電線端末処理構造が開示されている。
【先行技術文献】
【特許文献】
【０００３】
【特許文献１】特開２００６−８７１５６号公報
【発明の概要】
【発明が解決しようとする課題】
【０００４】
ところが、テープ巻きによる電線端末処理構造は、テープの巻き付け状態のばらつきによって、絶縁性能や、周囲の機材等に対する汚損防止性能などに、ばらつきが生じ易いという問題があった。
また、特許文献１の電線端末処理構造の場合は、ゴム栓の脱落を防止するために、テープ巻きによる固定を併用することが望ましく、部品の増加や工程数の増加によってコスト高になるおそれがあった。
【０００５】
そこで、本発明の目的は、上記課題を解消することに係り、電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い電線端末処理構造を提供することにある。
【課題を解決するための手段】
【０００６】
本発明の前述した目的は、下記の構成により達成される。
（１）  電線の切り放し端を保持する樹脂製の端末保持部材を、モールド成形により前記切り放し端に一体形成した電線端末処理構造であって、
前記端末保持部材が、
一端面に前記切り放し端の端部を突出させて保持する保持部本体と、
前記切り放し端の端部を挟んで対向するように前記保持部本体の一端面に突設されると共に、前記一端面からの突出長が前記切り放し端の端部の突出長よりも大きく設定された一対の端部保護壁と、
を備えたことを特徴とする電線端末処理構造。
【０００７】
（２）  前記一対の端部保護壁は、前記切り放し端の端部が折曲しても、該切り放し端の端部が前記一対の端部保護壁間の空間から飛び出さないように、大きさを設定されたことを特徴とする上記（１）に記載の電線端末処理構造。
【０００８】
上記（１）の構成によれば、電線の切り放し端を保持する端末保持部材は、モールド成形により切り放し端に一体形成されるため、比較的簡単な製造工程で、切り放し端に装備することができる。
【０００９】
そして、端末保持部材は、保持部本体から突出する切り放し端の端部を挟む一対の端部保護壁を有している。そして、この一対の端部保護壁は、突出長が切り放し端の端部の突出長よりも大きく設定されているため、切り放し端の端部が一対の端部保護壁間の空間に収まる。従って、一対の端部保護壁が、外部の機材の前記切り放し端の端部への接触を規制する。即ち、一対の端部保護壁によって切り放し端の端部が外部の機材に接触することを規制することができ、少ない部品及び少ない工程で、電線の切り放し端の絶縁と、切り放し端の接触による周囲の機材等の汚損防止とを、実現することができる。
【００１０】
また、仕上がり精度にばらつきを生じ易いテープ巻き等の手作業が製造工程中に含まれないため、寸法や品質が安定し、切り放し端の絶縁性能や周囲の機材等に対する汚損防止性能の点で性能にばらつきが生じ難く、安定した品質を確保することができる。
【００１１】
また、切り放し端の端部が保持部本体から突出しているため、モールド時に切り放し端を治具で保持することができる。これにより、モールド時の電線の位置決めを正確に行うことができる。
【００１２】
上記（２）の構成によれば、保持部本体から突出する切り放し端の端部が折曲しても、この切り放し端の端部が一対の端部保護壁間の空間から飛び出さない。従って、切り放し端の端部の折曲の有無に関係なく、外部の機材が切り放し端の端部に接触することを防止することができ、電線の切り放し端の絶縁や、切り放し端の接触による周囲の機材等の汚損防止に対する信頼性を向上させることができる。
【発明の効果】
【００１３】
本発明による電線端末処理構造によれば、電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきを生じ難くすることができる。
【００１４】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は本発明に係る電線端末処理構造の一実施形態の斜視図である。
【図２】図２は図１に示した電線端末処理構造のＡ−Ａ断面図である。
【図３】図３は図２に示した電線端末処理構造のＢ−Ｂ断面図である。
【図４】図４は図１に示した電線端末処理構造の作用説明図である。
【図５】図５は図１に示した電線端末処理構造の変形例の、図２に相当する断面図である。
【図６】図６は図１に示した電線端末処理構造の他の変形例の、図２に相当する断面図である。
【発明を実施するための形態】
【００１６】
以下、本発明に係る電線端末処理構造の好適な実施形態について、図面を参照して詳細に説明する。
【００１７】
図１〜図４は本発明に係る電線端末処理構造の一実施形態を示したもので、図１は本発明に係る電線端末処理構造の一実施形態の斜視図、図２は図１に示した電線端末処理構造のＡ−Ａ断面図、図３は図２に示した電線端末処理構造のＢ−Ｂ断面図、図４は図１に示した電線端末処理構造の作用説明図である。
【００１８】
この一実施形態の電線端末処理構造は、ワイヤハーネスに組み込まれる１本の電線２０の切り放し端２１を保持する樹脂製の端末保持部材３０を、モールド成形により切り放し端２１に一体形成したものである。
【００１９】
端末保持部材３０に保持される電線２０は、導体の周囲を絶縁被覆で覆った被覆電線である。そして、切り放し端２１は、電線２０の端部を切断しただけの状態で、該切り放し端２１には、導体の切断面が露出している。
【００２０】
本実施形態の場合、端末保持部材３０は、絶縁性を有する樹脂材料によるモールド成形品であり、図１に示すように、保持部本体３１と、該保持部本体３１の一端面３１ａに突設された一対の端部保護壁３２と、を備えている。
【００２１】
保持部本体３１は、中央部に電線２０が挿通する略直方体状で、その一端面３１ａに切り放し端２１の端部２１ａを突出させて保持している。
【００２２】
一対の端部保護壁３２は、切り放し端２１の端部２１ａを挟んで対向するように、保持部本体３１の一端面３１ａに突設されている。また、一対の端部保護壁３２は、図２に示すように、一端面３１ａからの突出長Ｌ１が、切り放し端２１の端部２１ａの突出長Ｌ２よりも大きく設定されている。
【００２３】
また、一対の端部保護壁３２は、図４に示すように、切り放し端２１の端部２１ａが、一対の端部保護壁３２の対向方向と直交する方向に折曲しても、該切り放し端２１の端部２１ａが一対の端部保護壁３２間の空間から飛び出さないように、一対の端部保護壁３２の対向方向と直交する方向の大きさ（幅寸法Ｗ）が設定されている。本実施形態の場合、各端部保護壁３２は、折曲した切り放し端２１の端部２１ａが端部保護壁３２の外側縁３２ａよりも寸法ｍ１だけ内側に入るように、幅寸法ｗが設定されている。
【００２４】
以上に説明した一実施形態の電線端末処理構造では、電線２０の切り放し端２１を保持する端末保持部材３０は、モールド成形により切り放し端２１に一体形成されるため、比較的簡単な製造工程で、切り放し端２１に装備することができる。
【００２５】
そして、端末保持部材３０は、保持部本体３１から突出する切り放し端２１の端部２１ａを挟む一対の端部保護壁３２を有している。そして、この一対の端部保護壁３２は、突出長が切り放し端２１の端部２１ａよりも大きく設定されているため、切り放し端２１の端部２１ａが一対の端部保護壁３２間の空間に収まる。従って、一対の端部保護壁３２が、外部の機材の前記切り放し端２１の端部２１ａへの接触を規制する。即ち、一対の端部保護壁３２によって切り放し端２１の端部２１ａが外部の機材に接触することを規制することができ、少ない部品及び少ない工程で、電線２０の切り放し端２１の絶縁と、切り放し端２１の接触による周囲の機材等の汚損防止とを、実現することができる。
【００２６】
また、仕上がり精度にばらつきを生じ易いテープ巻き等の手作業が製造工程中に含まれないため、寸法や品質が安定し、切り放し端２１の絶縁性能や周囲の機材等に対する汚損防止性能の点で性能にばらつきが生じ難く、安定した品質を確保することができる。
【００２７】
また、切り放し端２１の端部２１ａが保持部本体３１から突出しているため、モールド時に切り放し端２１を治具で保持することができる。これにより、モールド時の電線２０の位置決めを正確に行うことができる。
【００２８】
また、一実施形態の電線端末処理構造では、図４に示したように、保持部本体３１から突出する切り放し端２１の端部２１ａが一対の端部保護壁３２の対向方向と直交する方向に折曲しても、この切り放し端２１の端部２１ａが一対の端部保護壁３２間の空間から飛び出さない。従って、切り放し端２１の端部２１ａの折曲の有無に関係なく、外部の機材が切り放し端２１の端部２１ａに接触することを防止することができ、電線２０の切り放し端２１の絶縁や、切り放し端２１の接触による周囲の機材等の汚損防止に対する信頼性を向上させることができる。
【００２９】
図５及び図６は、第１実施形態の変形例の断面図である。これらの変形例の電線端末処理構造では、図５及び図６に示すように、切り放し端２１の端部２１ａの正面を覆う正面保護壁３３を備えている。正面保護壁３３は、少なくとも一方の端部保護壁３２から屈曲して延在している。図５は正面保護壁３３が一方の端部保護壁３２から延在した構成であり、図６は正面保護壁３３が両方の端部保護壁３２から延在した構成である。
【００３０】
これら変形例の構成によれば、切り放し端２１の正面側にある外部の機材が、切り放し端２１の端部２１ａに接触することを防止することができ、電線２０の切り放し端２１の絶縁や、切り放し端２１の接触による周囲の機材等の汚損防止に対する信頼性を向上させることができる。
【００３１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、前述の一実施形態では、１つの端末保持部材が１本の電線を保持していたが、ワイヤハーネス上に切り離し端の位置が略同一になる複数本の電線が含まれているような場合には、複数本の電線を１つの端末保持部材に保持させることも可能である。
ここで、上述した本発明に係る電線端末処理構造の実施形態の特徴をそれぞれ以下［１］〜［２］に簡潔に纏めて列記する。
【００３３】
［１］  電線（２０）の切り放し端（２１）を保持する樹脂製の端末保持部材（３０）を、モールド成形により前記切り放し端（２１）に一体形成した電線端末処理構造であって、
前記端末保持部材（３０）が、
一端面（３１ａ）に前記切り放し端（２１）の端部（２１ａ）を突出させて保持する保持部本体（３１）と、
前記切り放し端（２１）の端部（２１ａ）を挟んで対向するように前記保持部本体（３１）の一端面に突設されると共に、前記一端面（３１ａ）からの突出長（Ｌ１）が前記切り放し端（２１）の端部（２１ａ）の突出長（Ｌ２）よりも大きく設定された一対の端部保護壁（３２）と、
を備えたことを特徴とする電線端末処理構造。
【００３４】
［２］  前記一対の端部保護壁（３２）は、前記切り放し端（２１）の端部（２１ａ）が折曲しても、該切り放し端（２１）の端部（２１ａ）が前記一対の端部保護壁（３２）間の空間から飛び出さないように、大きさを設定されたことを特徴とする上記［１］に記載の電線端末処理構造。
【符号の説明】
【００３５】
２０  電線
２１  切り放し端
２１ａ  端部
３０  端末保持部材
３１  保持部本体
３１ａ  一端面
３２  端部保護壁
【図１】
2016018718.tif 000003
【図２】
2016018718.tif 000004
【図３】
2016018718.tif 000005
【図４】
2016018718.tif 000006
【図５】
2016018718.tif 000007
【図６】
2016018718.tif 000008